(57)【要約】  【課題】  記録・未記録部分が混在するエリアへのアクセス安定性とアクセス速度を両立させた光ディスク装置を提供する。  【解決手段】  光ディスクの記録済みエリアにおいて再生性能ベストフォーカス位置を検出する手段と、記録・未記録境界位置においてトラッキング誤差信号バランスベストフォーカス位置を検出する手段とを備え、検出した再生性能ベストフォーカス位置とトラッキング誤差信号バランスベストフォーカス位置の中間位置をフォーカス位置とすることにより、記録・未記録部分が混在するエリアに安定かつ高速にアクセスすることができる。【選択図】  図３
2006269004.tif 000002
【特許請求の範囲】
【請求項１】
光ディスクの記録済みエリアにおいて対物レンズのフォーカス位置を順次変化させ再生性能が最適となる第１のフォーカス位置を検出する再生性能ベストフォーカス位置検出手段と、前記光ディスクの記録済みエリアと前記光ディスクの未記録エリアとの境界位置において前記対物レンズのフォーカス位置を順次変化させて前記光ディスクのトラックに対して前記対物レンズが半径方向に横切るときのトラッキング誤差信号のバランスが最良となる第２のフォーカス位置を検出するトラッキング誤差信号バランスベストフォーカス位置検出手段と、前記第１のフォーカス位置と前記第２のフォーカス位置との中間位置を記録再生時の前記光ディスクに対する前記対物レンズのフォーカス位置とする制御手段と、を備えたことを特徴とする光ディスク装置。
【請求項２】
前記光ディスクの記録済みエリアにおいて前記対物レンズのフォーカス位置を順次変化させたときにデータを正常に再生できる限界となる再生限界フォーカス位置と、前記光ディスクの記録済みエリアと前記光ディスクの未記録エリアとの境界位置において前記対物レンズのフォーカス位置を順次変化させたときにトラッキングサーボが破綻するサーボ限界フォーカス位置と、の間の位置を、前記制御手段が記録再生時における前記対物レンズのフォーカス位置とする、ことを特徴とする請求項１記載の光ディスク装置。
【請求項３】
前記トラッキング誤差信号バランスベストフォーカス位置検出手段が、前記光ディスクの記録済みエリアと前記光ディスクの未記録エリアとの境界位置を、前記光ディスクの規格に従って予め決められたデータが記録されているエリアの開始位置または前記光ディスクの規格に従って予め決められたデータが記録されているエリアの終了位置、とする、ことを特徴とする請求項１記載の光ディスク装置。
【請求項４】
前記トラッキング誤差信号バランスベストフォーカス位置検出手段が、前記光ディスクの記録済みエリアと前記光ディスクの未記録エリアとの境界位置を、前記光ディスクの試し書きエリアの未記録部分に作成した記録済みエリアの開始位置または前記光ディスクの試し書きエリアの未記録部分に作成した記録済みエリアの終了位置、とする、ことを特徴とする請求項１記載の光ディスク装置。
【請求項５】
前記制御手段が、記録再生時の前記対物レンズのフォーカス位置を、前記対物レンズが前記光ディスクのトラックを横切って前記光ディスクの目標の位置に移動する処理が発生することなく前記光ディスクのトラックに連続的に追従させて再生・記録する場合には、前記第１のフォーカス位置を、記録再生時における前記対物レンズのフォーカス位置とすることを特徴とする請求項１記載の光ディスク装置。
【請求項６】
再生性能ベストフォーカス位置検出手段が、前記第１のフォーカス位置を、前記光ディスクに記録されたデータのジッタ、エラーレートのうち少なくとも１つ以上が最小となる位置またはＲＦ信号振幅が最大となる位置とする、ことを特徴とする請求項１に記載の光ディスク装置。
【発明の詳細な説明】
【技術分野】
【０００１】
本発明は、再生・記録可能な光ディスク装置に関し、より詳細には、光ディスク装置においてデータの記録・未記録部分が混在するエリアへのアクセス安定性とアクセス速度を両立させる技術に関する。特に、記録型光ディスクに存在する記録・未記録混在エリアへのアクセスが発生するような場合に好適に利用できるものである。
【背景技術】
【０００２】
光ディスク装置のトラッキングサーボ方式として、プッシュプル方式と呼ばれるサーボ方式が広く用いられている。以下に、一般的なプッシュプル方式について説明する。
【０００３】
レーザから出力されたレーザビームを光ディスク上に集光し、光ディスクから反射した反射光を、光ディスク上にスパイラル状に配置されたトラックの接線に対して線対称となるように分割配置された受光素子で受光する。そして、光ディスクの内周側に分割配置された受光素子で受光した光量に応じた電圧信号と外周側に分割配置された受光素子で受光した光量に応じた電圧信号との差信号をトラッキング誤差信号として、トラッキング誤差信号が基準電圧に一致するように制御することで、光ディスクに集光されたレーザビームのビームスポットをトラック中心位置に追従させることができる。
【０００４】
このプッシュプル方式を用いた光ディスク装置の場合、ビームスポットが記録・未記録境界位置を横切るときに、内周側と外周側の受光素子の検出光量が異なり、トラッキング誤差信号のバランスが崩れる。このため、記録・未記録境界位置にあるアドレスにアクセスしようとした場合には、目標のトラックにトラッキングサーボが引き込めないことや、トラッキングサーボが引き込めた場合でも、トラック中心からオフセットされた位置でトラッキングサーボが動作するため、トラッキングサーボが不安定になる等の課題が発生していた。
【０００５】
従来の光ディスク装置は、この課題を解決するために、記録・未記録境界位置付近でフォーカス誤差信号に所定のオフセット電圧を加えることで、トラッキング誤差信号のアンバランスを改善させている。また、このフォーカス誤差信号に加えるオフセット電圧は、トラッキングサーボが安定するまで、所定の電圧範囲内で段階的に変化させている。（例えば、特許文献１参照。）
【特許文献１】特開２００４−２６５４７５号公報
【発明の開示】
【発明が解決しようとする課題】
【０００６】
しかしながら、前記従来の構成では、予め記録・未記録境界を検出しておく必要があるため、記録・未記録境界を検出するための時間が必要となる。また、フォーカス誤差信号に加えるオフセット電圧は、トラッキングサーボが安定するか所定の電圧範囲を超えるまで段階的に変化させるため、最適なオフセット電圧が検出されるまでに時間がかかり、結果、記録・未記録境界を含むエリアへのアクセス速度が低下してしまうという課題を有していた。
【０００７】
また、フォーカス誤差信号にオフセット電圧を加えることによって、光ディスク上に照射されるレーザビームのフォーカス位置が再生性能ベスト位置からオフセットしてしまうため、再生性能を低下させてしまうが、前記従来の構成では、フォーカス誤差信号に加えるオフセット電圧の所定の電圧範囲は、どのディスクに対しても一律に決められているため、記録性能の悪いディスクの場合には、フォーカス誤差信号にオフセット電圧を加えたことによって、記録・未記録境界付近のデータが正常に再生できないという課題を有していた。
【０００８】
本発明は、前記従来の課題を解決するもので、記録・未記録境界を含むエリアへのアクセス速度を損なうことなくアクセス安定性を向上させるとともに、記録性能が悪いディスクに対しても再生性能が十分に確保できるような光ディスク装置を提供することを目的とする。
【課題を解決するための手段】
【０００９】
前記従来の課題を解決するために、本発明は、光ディスクの記録済みエリアにおいて対物レンズのフォーカス位置を順次変化させ再生性能が最適となる第１のフォーカス位置を検出する再生性能ベストフォーカス位置検出手段と、前記光ディスクの記録済みエリアと前記光ディスクの未記録エリアとの境界位置において前記対物レンズのフォーカス位置を順次変化させて前記光ディスクのトラックに対して前記対物レンズが半径方向に横切るときのトラッキング誤差信号のバランスが最良となる第２のフォーカス位置を検出するトラッキング誤差信号バランスベストフォーカス位置検出手段と、前記第１のフォーカス位置と前記第２のフォーカス位置との中間位置を記録再生時の前記光ディスクに対する前記対物レンズのフォーカス位置とする制御手段と、を備えたことを特徴とする。
【００１０】
さらに、本発明は、前記光ディスクの記録済みエリアにおいて前記対物レンズのフォーカス位置を順次変化させたときにデータを正常に再生できる限界となる再生限界フォーカス位置と、前記光ディスクの記録済みエリアと前記光ディスクの未記録エリアとの境界位置において前記対物レンズのフォーカス位置を順次変化させたときにトラッキングサーボが破綻するサーボ限界フォーカス位置と、の間の位置を、前記制御手段が記録再生時における前記対物レンズのフォーカス位置とする、ことを特徴とする。
【００１１】
さらに、本発明は、前記トラッキング誤差信号バランスベストフォーカス位置検出手段が、前記光ディスクの記録済みエリアと前記光ディスクの未記録エリアとの境界位置を、前記光ディスクの規格に従って予め決められたデータが記録されているエリアの開始位置または前記光ディスクの規格に従って予め決められたデータが記録されているエリアの終了位置、とする、ことを特徴とする。
【００１２】
さらに、本発明は、前記トラッキング誤差信号バランスベストフォーカス位置検出手段が、前記光ディスクの記録済みエリアと前記光ディスクの未記録エリアとの境界位置を、前記光ディスクの試し書きエリアの未記録部分に作成した記録済みエリアの開始位置または前記光ディスクの試し書きエリアの未記録部分に作成した記録済みエリアの終了位置、とする、ことを特徴とする。
【００１３】
さらに、本発明は、前記制御手段が、記録再生時の前記対物レンズのフォーカス位置を、前記対物レンズが前記光ディスクのトラックを横切って前記光ディスクの目標の位置に移動する処理が発生することなく前記光ディスクのトラックに連続的に追従させて再生・記録する場合には、前記第１のフォーカス位置を、記録再生時における前記対物レンズのフォーカス位置とすることを特徴とする。
【００１４】
さらに、本発明は、再生性能ベストフォーカス位置検出手段が、前記第１のフォーカス位置を、前記光ディスクに記録されたデータのジッタ、エラーレートのうち少なくとも１つ以上が最小となる位置またはＲＦ信号振幅が最大となる位置とする、ことを特徴とする。
【発明の効果】
【００１５】
本発明の光ディスク装置によれば、記録・未記録部分が混在するエリアに安定かつ高速にアクセスできる。
【発明を実施するための最良の形態】
【００１６】
以下に、本発明の光ディスク装置の実施例を図面とともに詳細に説明する。
【実施例１】
【００１７】
図１は、本発明の第１の実施例における光ディスク装置のブロック図を示す。
【００１８】
図２は、本発明の第１の実施例における光ディスク装置の４分割受光素子の配置と信号演算部での演算処理の流れを示す。
【００１９】
図３は、本発明の第１の実施例における光ディスク装置のフォーカス補正ゲインとジッタおよびトラッキング誤差信号バランスの関係図を示す。
【００２０】
図４は、本発明の第１の実施例における光ディスク装置の記録・未記録境界位置でのトラッキング誤差信号波形を示す。
【００２１】
図５は、本発明の第１の実施例における光ディスク装置のフォーカスオフセットとジッタおよびトラッキング誤差信号バランスの関係図を示す。
【００２２】
図１において、１は光ディスクである。２は光ピックアップであり、主にレーザダイオード２ａ、ビームスプリッタ２ｂ、対物レンズ２ｃ、アクチュエータ２ｄ、前光受光素子２ｅ、４分割受光素子２ｆから構成されている。３はトラバース駆動用シャフトであり、トラバースモータ４で回転駆動させることにより、光ピックアップ２を光ディスク１の半径方向に移送させる。５は信号演算部であり、４分割受光素子２ｆの各受光信号を処理して、再生ＲＦ信号、フォーカス誤差信号、トラッキング誤差信号を生成する。６は再生信号処理部であり、信号演算部５から出力された再生ＲＦ信号をデコード処理してデータ再生するとともに、再生ＲＦ信号のジッタ、アシンメトリ、振幅などの信号状態を検出することができる。７はサーボ信号処理部であり、信号演算部５から出力されたフォーカス誤差信号およびトラッキング誤差信号を処理して、フォーカス駆動信号およびトラッキング駆動信号をアクチュエータドライバ８に、トラバース駆動信号をモータドライバ９に各々供給する。アクチュエータドライバ８は、アクチュエータ２ｄに駆動信号を供給することにより、対物レンズ２ｃをフォーカス方向、トラッキング方向、チルト方向に駆動させる。モータドライバ９は、トラバースモータ４に駆動信号を供給することにより、光ピックアップ２を光ディスク１の半径方向に移送させる。１０はレーザ制御部であり、前光受光素子２ｅの受光信号からレーザダイオード２ａからの出力光量を検出するとともに、ＬＤドライバ１１にレーザ制御信号を供給する。ＬＤドライバ１１は、レーザダイオード２ａにレーザ駆動電流を供給する。
【００２３】
図２において、４分割受光素子２ｆは、例えば、光ディスク１のトラックの接線および法線に対して線対称となるように分割配置されたＰＤ（ＰＨＯＴＯ  ＤＥＴＥＣＴＯＲ）と、各チャネル（Ａ、Ｂ、Ｃ、Ｄ）から出力される光電流を電圧信号に変換するＩ／Ｖ変換器から構成されており、各チャネルで受光した光量に応じた光検出電圧を出力する。信号演算部５では、４分割受光素子２ｆから出力された各チャネルの光検出電圧を演算処理し、ＲＦ信号、フォーカス誤差信号、トラッキング誤差信号を生成している。ＲＦ信号は光ディスク１から反射された全光量をＲＦアンプ１２で増幅した信号、つまり、全てのチャネルの加算増幅信号Ｇ０・（Ａ＋Ｂ＋Ｃ＋Ｄ）となる。フォーカス誤差信号は、例えば非点収差法を用いたフォーカスサーボの場合、対角に配置されたチャネルの和信号（Ａ＋Ｄ）と（Ｂ＋Ｃ）の差となる。各和信号は、４分割受光素子２ｆのチャネル間の受光感度差を補正するための補正ゲインアンプ１３によりゲイン補正されているため、フォーカス誤差信号は、Ｇ１・（Ａ＋Ｄ）−Ｇ２・（Ｂ＋Ｃ）となる。ここで、補正ゲインアンプ１３のゲインＧ１、Ｇ２は任意に選択可能であり（但しＧ１・Ｇ２＝一定）、Ｇ１、Ｇ２を変化させることで、光ディスク１に対する対物レンズ２ｃの位置をフォーカス方向に変位させる、つまり光ディスク１に照射するレーザビームのフォーカス位置を変位させることが可能となる。または、フォーカスオフセット回路１５を用いて、フォーカス誤差信号にオフセット電圧を加えることで、光ディスク１に照射するレーザビームのフォーカス位置を変位させることも可能である。
【００２４】
トラッキング誤差信号は、プッシュプル法を用いたトラッキングサーボの場合、トラック接線に対して内周側に配置されたチャネルの和信号（Ａ＋Ｂ）と、外周側に配置されたチャネルの和信号（Ｃ＋Ｄ）の差となる。各和信号は、分割受光素子２ｆのチャネル間の受光感度差を補正するための補正ゲインアンプ１４によりゲイン補正されているため、トラッキング誤差信号は、Ｇ３・（Ａ＋Ｂ）−Ｇ４・（Ｃ＋Ｄ）となる。
【００２５】
先ず、光ディスク１の記録済みエリアにおいて、再生性能ベストフォーカス位置を検出する。以下に、再生性能ベストフォーカス位置の検出方法について示す。但し、フォーカス位置は、補正ゲインアンプ１３に設定するゲイン値によって調節できるような構成としているため、以降の説明では、補正ゲインアンプ１３設定するゲイン値の検出方法について説明する。
【００２６】
記録済みエリアにおいて、図３に示すように、補正ゲインアンプ１３のゲインＧ１およびＧ２を、Ｇ１・Ｇ２＝一定という条件の下で順次変化させ、各ゲイン値に対するジッタ値を再生信号処理部６で測定し、ジッタ値が最小となるときの補正ゲインアンプ１３のゲイン値を、再生性能ベストフォーカス補正ゲインとして決定する。このとき、データが正常に再生できる限界ジッタ値となるときの補正ゲインアンプ１３のゲインを、再生限界フォーカス補正ゲインとして取得しておく。
【００２７】
次に、光ディスク１の記録・未記録境界において、トラッキング誤差信号バランスベストフォーカス位置を検出する。以下に、トラッキング誤差信号バランスベストフォーカス位置の検出方法について示す。但し、フォーカス位置は、前述したように、補正ゲインアンプ１３に設定するゲイン値によって調節できるような構成としているため、以降の説明では、補正ゲインアンプ１３に設定するゲイン値の検出方法について説明する。
【００２８】
記録・未記録境界は、例えば、ＤＶＤ−ＲやＤＶＤ−ＲＷの場合には、ＣＯＮＴＲＯＬ  ＤＡＴＡ  ＺＯＮＥのように、規格により予め決められたデータが決められたアドレスに記録されているエリアの先頭アドレス位置を含むトラック、または終端アドレス位置を含むトラックとする。但し、ＣＯＮＴＲＯＬ  ＤＡＴＡ  ＺＯＮＥのように規格により予め決められたデータが決められたアドレスに記録されているエリアの前後に他のデータが記録されているような場合や、予め記録されているエリアが特定できないような場合には、例えば、ＤＶＤ−ＲやＤＶＤ−ＲＷの場合には、ＤＲＩＶＥ  ＴＥＳＴ  ＺＯＮＥのような試し書き可能なエリアの未記録部分に、予め記録済みエリアを作成し、その先頭アドレス位置を含むトラック、または終端アドレス位置を含むトラックとする。この記録済みエリアの長さは、少なくともトラック１本以上とする。
【００２９】
この記録・未記録境界位置でトラックを半径方向に横切ってトラックジャンプさせた場合、図４に示すようなトラッキング誤差信号が現れる。このトラッキング誤差信号の上側振幅をＳ１、下側振幅をＳ２としたときに、（Ｓ１−Ｓ２）／（Ｓ１＋Ｓ２）＝０になる状態が、最もトラッキング誤差信号のバランスが良好である。
【００３０】
図３に示すように、補正ゲインアンプ１３のゲインＧ１およびＧ２を、Ｇ１・Ｇ２＝一定という条件の下で順次変化させ、各ゲイン値に対するトラッキング誤差信号の上側振幅Ｓ１および下側振幅Ｓ２をサーボ信号処理部７で測定し、（Ｓ１−Ｓ２）／（Ｓ１＋Ｓ２）＝０となるときの補正ゲインアンプ１３のゲイン値を、トラッキング誤差信号バランスベストフォーカス補正ゲインとして決定する。このとき、記録・未記録境界位置でのトラッキング誤差信号のバランスが悪く、トラッキングサーボが破綻するときの補正ゲインアンプ１３のゲインを、サーボ限界フォーカス補正ゲインとして取得しておく。
【００３１】
但し、補正ゲインアンプ１３のゲイン値を順次変化させている段階で、（Ｓ１−Ｓ２）／（Ｓ１＋Ｓ２）＝０となる前にフォーカスサーボが破綻した場合は、フォーカスサーボが破綻した時の補正ゲインアンプ１３の設定値よりもひとつ前の設定値を、トラッキング誤差信号バランスベストフォーカス補正ゲインとして決定する。
【００３２】
以上のような手順で検出した再生性能ベストフォーカス補正ゲインおよびトラッキング誤差信号バランスベストフォーカス補正ゲインの中間値を、フォーカス補正ゲインとして決定する。但し、再生性能ベストフォーカス補正ゲインとトラッキング誤差信号バランスベストフォーカス補正ゲインの中間値であるフォーカス補正ゲインは、再生限界フォーカス補正ゲインとサーボ限界フォーカス補正ゲインによって決まる範囲内の値とする。
【００３３】
以上のように、本実施例１においては、光ディスク装置のフォーカス位置を、再生性能ベストフォーカス位置と記録・未記録境界位置におけるトラッキング誤差信号バランスベストフォーカス位置の中間位置とすることで、再生・記録不良を発生させることなく、記録・未記録境界位置におけるトラッキング誤差信号のバランスを改善し、記録・未記録境界を含むエリアへのアクセスを安定させることができる。
【００３４】
また、本実施例１において、補正ゲインアンプ１３に設定するゲイン値によりフォーカス位置を調節させるような構成を、フォーカスオフセット回路１５に設定するフォーカスオフセット値によりフォーカス位置を調節させるような構成にしても、同様な効果を得ることができる。
【００３５】
先ず、光ディスク１の記録済みエリアにおいて、再生性能ベストフォーカス位置を検出する。以下に、再生性能ベストフォーカス位置の検出方法について示す。但し、フォーカス位置は、前述したように、フォーカスオフセット回路１５から供給するフォーカスオフセット電圧によって調節できるような構成としているため、以降の説明では、フォーカスオフセット回路１５から供給するフォーカスオフセット電圧の検出方法について説明する。
【００３６】
記録済みエリアにおいて、図５に示すように、フォーカスオフセット回路１５から供給するフォーカスオフセット電圧を順次変化させ、各フォーカスオフセット電圧に対するジッタ値を再生信号処理部６で測定し、ジッタ値が最小となるときのフォーカスオフセット回路１５のフォーカスオフセット電圧を、再生性能ベストフォーカスオフセットとして決定する。このとき、データが正常に再生できる限界ジッタ値となるときのフォーカスオフセット回路１５のフォーカスオフセット電圧を、再生限界フォーカスオフセットとして取得しておく。
【００３７】
次に、光ディスク１の記録・未記録境界において、トラッキング誤差信号バランスベストフォーカス位置を検出する。以下に、トラッキング誤差信号バランスベストフォーカス位置の検出方法について示す。但し、フォーカス位置は、前述したように、フォーカスオフセット回路１５から供給するフォーカスオフセット電圧によって調節できるような構成としているため、以降の説明では、フォーカスオフセット回路１５から供給するフォーカスオフセット電圧の検出方法について説明する。
【００３８】
記録・未記録境界は、例えば、ＤＶＤ−ＲやＤＶＤ−ＲＷの場合には、ＣＯＮＴＲＯＬ  ＤＡＴＡ  ＺＯＮＥのように、規格により予め決められたデータが決められたアドレスに記録されているエリアの先頭アドレス位置を含むトラック、または終端アドレス位置を含むトラックとする。但し、ＣＯＮＴＲＯＬ  ＤＡＴＡ  ＺＯＮＥのように規格により予め決められたデータが決められたアドレスに記録されているエリアの前後に他のデータが記録されているような場合や、予め記録されているエリアが特定できないような場合には、例えば、ＤＶＤ−ＲやＤＶＤ−ＲＷの場合には、ＤＲＩＶＥ  ＴＥＳＴ  ＺＯＮＥのような試し書き可能なエリアの未記録部分に、予め記録済みエリアを作成し、その先頭アドレス位置を含むトラック、または終端アドレス位置を含むトラックとする。この記録済みエリアの長さは、少なくともトラック１本以上とする。
【００３９】
この記録・未記録境界位置でトラックを半径方向に横切ってトラックジャンプさせた場合、図４に示すようなトラッキング誤差信号が現れる。このトラッキング誤差信号の上側振幅をＳ１、下側振幅をＳ２としたときに、（Ｓ１−Ｓ２）／（Ｓ１＋Ｓ２）＝０になる状態が、最もトラッキング誤差信号のバランスが良好である。
【００４０】
図５に示すように、フォーカスオフセット回路１５から供給するフォーカスオフセット電圧を順次変化させ、各フォーカスオフセット電圧に対するトラッキング誤差信号の上側振幅Ｓ１および下側振幅Ｓ２をサーボ信号処理部７で測定し、（Ｓ１−Ｓ２）／（Ｓ１＋Ｓ２）＝０となるときのフォーカスオフセット回路１５のフォーカスオフセット電圧を、トラッキング誤差信号バランスベストフォーカスオフセットとして決定する。このとき、記録・未記録境界位置でのトラッキング誤差信号のバランスが悪く、トラッキングサーボが破綻するときのフォーカスオフセット回路１５のフォーカスオフセット電圧を、サーボ限界フォーカスオフセットとして取得しておく。
【００４１】
但し、フォーカスオフセット回路１５から供給するフォーカスオフセット電圧を順次変化させている段階で、（Ｓ１−Ｓ２）／（Ｓ１＋Ｓ２）＝０となる前にフォーカスサーボが破綻した場合は、フォーカスサーボが破綻した時のフォーカスオフセット回路１５の設定値よりもひとつ前の設定値を、トラッキング誤差信号バランスベストフォーカスオフセットとして決定する。以上のような手順で検出した再生性能ベストフォーカスオフセットおよびトラッキング誤差信号バランスベストフォーカスオフセットの中間値を、フォーカスオフセットとして決定する。但し、再生性能ベストフォーカスオフセットとトラッキング誤差信号バランスベストフォーカスオフセットの中間値であるフォーカスオフセットは、再生限界フォーカスオフセットとサーボ限界フォーカスオフセットによって決まる範囲内の値とする。
【００４２】
また、本実施例１では、光ディスクのトラックを半径方向に横切って目標のアドレスにアクセスすることなく、連続的にトラックに追従させて再生・記録させる場合には、フォーカス位置が再生性能ベストフォーカス位置となるように、フォーカス補正ゲインの値を再生性能ベストフォーカス補正ゲインの値に、または、フォーカスオフセットの値を再生性能ベストフォーカスオフセットの値に切り換えることにより、再生・記録性能を向上させることができる。
【００４３】
また、本実施例１では、再生性能ベストフォーカス位置をジッタ値が最小となる位置とするだけでなく、再生したデータのエラーレートが最小となる位置、または、ＲＦ信号振幅が最大となる位置としても良い。
【００４４】
また、本実施例１では、再生性能ベストフォーカス補正ゲイン、トラッキング誤差信号バランスベストフォーカス補正ゲイン、再生限界フォーカス補正ゲイン、サーボ限界フォーカス補正ゲイン、または、再生性能ベストフォーカスオフセット、トラッキング誤差信号バランスベストフォーカスオフセット、再生限界フォーカスオフセット、サーボ限界フォーカスオフセットの値を検出するようにしていたが、予め光ディスク装置の製造工程段階で記憶手段に書き込んでおいた値を読み出して使用することも可能である。
【００４５】
また、本実施例１では、再生性能ベストフォーカス補正ゲイン、トラッキング誤差信号バランスベストフォーカス補正ゲイン、再生限界フォーカス補正ゲイン、サーボ限界フォーカス補正ゲイン、または、再生性能ベストフォーカスオフセット、トラッキング誤差信号バランスベストフォーカスオフセット、再生限界フォーカスオフセット、サーボ限界フォーカスオフセットの値を毎回検出するようにしていたが、一度調整した値を光ディスク上に記録しておくことで、２回目以降には同様な処理を行わず、処理時間を短縮することも可能である。
【産業上の利用可能性】
【００４６】
本発明にかかる光ディスク装置は、再生性能ベストフォーカス位置と記録・未記録境界位置でのトラッキング誤差信号バランスベストフォーカス位置からフォーカス位置を決定する手段を有し、記録・未記録部分が混在するエリアに安定かつ高速にアクセスさせる場合に有用である。
【図面の簡単な説明】
【００４７】
【図１】本発明の実施例１における光ディスク装置のブロック図
【図２】本発明の実施例１における光ディスク装置の４分割受光素子の配置と信号演算部での演算処理の流れ図
【図３】本発明の実施例１における光ディスク装置のフォーカス補正ゲインとジッタおよびトラッキング誤差信号バランスの関係図
【図４】本発明の実施例１における光ディスク装置の記録・未記録境界位置でのトラッキング誤差信号波形図
【図５】本発明の実施例１における光ディスク装置のフォーカスオフセットとジッタおよびトラッキング誤差信号バランスの関係図
【符号の説明】
【００４８】
１    光ディスク
２    光ピックアップ
２ａ  レーザダイオード
２ｂ  ビームスプリッタ
２ｃ  対物レンズ
２ｄ  アクチュエータ
２ｅ  前光受光素子
２ｆ  ４分割受光素子
３    トラバース駆動用シャフト
４    トラバースモータ
５    信号演算部
６    再生信号処理部
７    サーボ信号処理部
８    アクチュエータドライバ
９    モータドライバ
１０  レーザ制御部
１１  ＬＤドライバ
１２  ＲＦアンプ
１３  補正ゲインアンプ
１４  補正ゲインアンプ
１５  フォーカスオフセット回路
【図１】
2006269004.tif 000003
【図２】
2006269004.tif 000004
【図３】
2006269004.tif 000005
【図４】
2006269004.tif 000006
【図５】
2006269004.tif 000007